(57)【要約】【課題】携帯電話器等の携帯端末器を用いて列車に乗車できるようにする。【解決手段】利用者の所持する携帯端末器と、乗車券や座席指定券等の所定の券類を管理する所定の中央に設けられた中央装置と、前記中央装置と通信回線を介して接続された入出場処理を行う自動改札機と、前記携帯端末器と前記中央装置との交信によりその中央装置から得られた所定の乗車券情報をその携帯端末器のメモリに記憶させる記憶手段と、所定の乗車券情報の記憶されている前記携帯端末器と前記自動改札機との間で交信を行って所定の入出場処理を行う入出場処理手段とからなる。【選択図】　　　図３
2004038534.tif 000002
【特許請求の範囲】
【請求項１】
利用者の所持する携帯端末器と、
乗車券や座席指定券等の所定の券類を管理する所定の中央に設けられた中央装置と、
前記中央装置と通信回線を介して接続された入出場処理を行う自動改札機と、
前記携帯端末器と前記中央装置との交信によりその中央装置から得られた所定の乗車券情報をその携帯端末器のメモリに記憶させる記憶手段と、
所定の乗車券情報の記憶されている前記携帯端末器と前記自動改札機との間で交信を行って所定の入出場処理を行う入出場処理手段と、
からなることを特徴とする乗降システム。
【請求項２】
利用者の所持する携帯端末器と、
乗車券や座席指定券等の所定の券類を管理する所定の中央に設けられた中央装置と、
前記中央装置と通信回線を介して接続された発券処理を行う自動券売機と、
前記携帯端末器と前記中央装置との交信によりその中央装置から得られた所定の乗車券情報をその携帯端末器のメモリに記憶させる記憶手段と、
所定の乗車券情報の記憶されている前記携帯端末器と前記自動券売機との間で交信を行って所定の発券処理を行う発券処理手段と、
からなることを特徴とする乗降システム。
【請求項３】
利用者の所持する携帯端末器と、
搭乗券を管理する所定の中央に設けられた中央装置と、
前記中央装置と通信回線を介して接続されたチェックイン処理を行う自動チェックイン機と、
前記携帯端末器と前記中央装置との交信によりその中央装置から得られた所定の搭乗券情報をその携帯端末器のメモリに記憶させる記憶手段と、
所定の搭乗券情報の記憶されている前記携帯端末器と前記自動チェックイン機との間で交信を行って所定のチェックイン処理を行うチェックイン処理手段と、
からなることを特徴とする乗降システム。
【請求項４】
請求項１〜３のいずれかに記載の乗降システムにおいて、携帯端末器は、携帯電話器であることを特徴とする乗降システム。
【発明の詳細な説明】
【０００１】
【発明の属する技術分野】
本発明は、利用者の所持する携帯端末器を利用して列車に乗車したり、あるいは、航空機に搭乗したりすることのできる乗降システムに関する。
【０００２】
【従来の技術】
近年、ＩＴ化の一層の普及に伴い、携帯電話器やＰＤＡ等の携帯端末器を多くの人々が持つようになってきている。また、携帯電話器（携帯電話）の利用態様の一つとして、携帯電話器と自動販売機側との交信により、その自動販売機から清涼飲料水等の所定の商品を購入できるようにすることも提案されている。
【０００３】
【発明が解決しようとする課題】
上述のように、携帯電話器等の携帯端末器の普及に伴い、自動販売機の利用だけでなく、その携帯端末器を利用して列車に乗車したり、航空機に搭乗できるようにすることが望まれていた。
【０００４】
そこで、本発明は、上記要望に応えるためになされたものであって、その目的は、利用者の所持する携帯端末器を利用して列車に乗車したり、あるいは航空機に搭乗できるようにした乗降システムを提供することにある。
【０００５】
【課題を解決するための手段】
本発明に係る乗降システムは、上記目的を達成するために、請求項１に記載の発明は、利用者の所持する携帯端末器と、乗車券や座席指定券等の所定の券類を管理する所定の中央に設けられた中央装置と、その中央装置と通信回線を介して接続された入出場処理を行う自動改札機と、前記携帯端末器と前記中央装置との交信によりその中央装置から得られた所定の乗車券情報をその携帯端末器のメモリに記憶させる記憶手段と、所定の乗車券情報の記憶されている前記携帯端末器と前記自動改札機との間で交信を行って所定の入出場処理を行う入出場処理手段と、からなることを特徴としている。
【０００６】
本発明に係る乗降システムは、上記目的を達成するために、請求項２に記載の発明は、利用者の所持する携帯端末器と、乗車券や座席指定券等の所定の券類を管理する所定の中央に設けられた中央装置と、その中央装置と通信回線を介して接続された発券処理を行う自動券売機と、前記携帯端末器と前記中央装置との交信によりその中央装置から得られた所定の乗車券情報をその携帯端末器のメモリに記憶させる記憶手段と、所定の乗車券情報の記憶されている前記携帯端末器と前記自動券売機との間で交信を行って所定の発券処理を行う発券処理手段と、からなることを特徴としている。
【０００７】
本発明に係る乗降システムは、上記目的を達成するために、請求項３に記載の発明は、利用者の所持する携帯端末器と、搭乗券を管理する所定の中央に設けられた中央装置と、その中央装置と通信回線を介して接続されたチェックイン処理を行う自動チェックイン機と、前記携帯端末器と前記中央装置との交信によりその中央装置から得られた所定の搭乗券情報をその携帯端末器のメモリに記憶させる記憶手段と、所定の搭乗券情報の記憶されている前記携帯端末器と前記自動チェックイン機との間で交信を行って所定のチェックイン処理を行うチェックイン処理手段と、からなることを特徴としている。
本発明の請求項４に記載の乗降システムは、携帯端末器は、携帯電話器であることを特徴としている。
【０００８】
【発明の実施の形態】
以下、本発明の実施の形態を図面に基づいて説明する。図１は、本発明に係る乗降システムを鉄道の乗降システムに適用したときの概略構成図である。
【０００９】
図１中、ａは、甲駅に設置されている自動券売機、及びＧは自動改札機である。また、１は、これら駅務機器（ａ，Ｇ）と通信回線Ｌ１　を介して接続され、これら駅務機器（ａ，Ｇ）を管理制御する駅務機器制御装置、いわゆる駅制である。この駅制１には、１台の自動券売機ａ及び１台の自動改札機Ｇしか接続されていないが、実際は、複数台の自動券売機、複数台の自動改札機及び図示しない自動精算機や自動定期券発売機等の他の駅務機器が接続されているが、ここでは図面を簡略化するために省略されている。
【００１０】
図１中、２は、鉄道会社の本社等の所定の中央（図示の例では本社）に設けられたホストコンピュータを中心に構成された中央装置であって、甲駅及び図示しない他の駅に設置されている駅制１と通信回線Ｌ２　を介して接続されている。この中央装置２は、公衆回線網（インターネットを含む）Ｌ３　とも接続されていて、銀行等の金融期間のホストコンピュータＨや基地局Ｈを介して利用者（旅客）の所持する、本発明の携帯端末器に相当する携帯電話器Ｋとの間で交信できるように構成されている。
【００１１】
図２は、駅務機器を制御する制御器及び携帯電話器Ｋのブロック図であって、メモリ１０に格納されているシステムプログラム及びワーキングデータを用いて所定の演算処理（例えば、駅務機器が自動券売機の場合は、発券用の演算処理、自動改札機Ｇの場合は、入出場の演算処理）を行うＣＰＵを中心に形成された制御部１１を有している。
【００１２】
制御部１１には、駅務機器の処理ユニット１２が接続されている。例えば、駅務機器が自動改札機Ｇの場合は、ドア駆動ユニットや人間検知器ユニット等が接続され、自動券売機ａの場合は、発券処理ユニットや金銭処理ユニット等が接続されている。また、この制御部１１には、定期券等の乗車券に記録されているデータを読取るための磁気ヘッド以外に、乗車券が無線通信機能を備えたＩＣカードからなる非接触券及び携帯電話器Ｋとの間でデータ授受を行うためのアンテナ１３ａを備えたリーダライタ１３と、上位機器である駅制１と通信を行うための通信制御部１４とが接続されている。
【００１３】
携帯電話器Ｋには、周知の携帯電話器と同様に、アンテナ２０ａを介して所定の基地局（図１のＴ参照）を介して他の電話器等と交信するとともに、駅務機器（ａ，Ｇ）のリーダライタ１３側とも交信することのできる送受信部２０と、メモリ２１に記憶されているシステムプログラムや所定のワーキングデータを用いて携帯電話器Ｋを統括的に制御するＣＰＵを中心に形成された制御部２２とを有している。この制御部２２には、テンキーからなる操作部や表示画面からなる表示部等が接続されるが、ここでは省略されている。上記メモリ２１には、乗車券データ記憶部２１ａが設けられていて、そのデータ記憶部２１ａには、後述するように、中央装置２から得られた所定の乗車券データを記憶できるように構成されている。
【００１４】
以下、図３のフローチャートを用いて制御動作について説明する。今、携帯電話器Ｋを所持している利用者イが甲駅から発車する所定の列車に乗車を希望しているものとする。この場合、利用者イは、携帯電話器Ｋを所定の操作マニュアルに従って操作し、基地局Ｔ及び公衆回線網Ｌ３　を介して中央装置２との間で交信を開始する（ステップ１００肯定、ステップ１０２。以下、ステップを「Ｓ」とする。）。
【００１５】
中央装置２には、列車のダイヤ情報や座席指定情報等の所定の乗車券情報が含まれているので、利用者イの希望する列車の乗車券の取得が可能なときは、その列車の乗車券情報（列車番号、乗車駅（甲駅）、降車駅、指定座席等からなる情報）が携帯電話器Ｋのメモリ２１にダウンロードされて記憶されるとともに、その列車への乗車料金（運賃及び料金）が利用者イの銀行口座（図１のＨ参照）から引き落とされる（Ｓ１０４肯定、Ｓ１０６）。もちろん、希望する列車の乗車券情報が入手できないときは（Ｓ１０４否定）、再度、別の列車を選択することができるとともに、一旦、中央装置２との交信を切断することもできる（Ｓ１０５）。
【００１６】
所定の乗車券情報の記憶されている携帯電話を所持した利用者イが甲駅に設置されている自動改札機Ｇのアンテナ１３ａ（図２参照）に軽くタッチ又はそのアンテナ１３ａにかざすと（Ｓ１０８肯定）、携帯電話器Ｋと自動改札機Ｇとの間でデータ授受が行われる。そして、自動改札機Ｇの制御部１１では、携帯電話器Ｋから得た乗車券情報を基に所定の入場用の演算処理が行われる（Ｓ１１０）。
【００１７】
演算処理の結果、入場を許可できるときは（Ｓ１１２肯定）、ドアが開かれて（自動改札機Ｇがノーマルオープン型のときはそのまま）、利用者イの入場が許可される。したがって、利用者イは、甲駅から所定の列車に乗車することができる。もちろん、携帯電話器Ｋのメモリ２１に記憶されている乗車券情報では入場することができないとき、例えば、その記憶されている乗車券情報に係る列車が既に出発し、それに代わる列車（例えば自由席の特急列車）が存在しないようなとき、あるいは、携帯電話器Ｋのメモリ２１に乗車券情報が全く記憶されていないようなときは（Ｓ１１２否定）、ドアが閉じられて入場が拒否され、その拒否の理由が図示しない表示画面又はスピーカを介して案内される（Ｓ１１６）。
【００１８】
なお、図３のフローチャートでは省略されているが、利用者イが所定の駅で降車し、その駅から出場するときは、携帯電話器Ｋをその駅に設置されている自動改札機のアンテナにタッチ又はかざして出場することとなる。この出場時に、携帯電話器Ｋのメモリ２１に記憶されている乗車券情報はクリアされる。
【００１９】
上述の例では、自動改札機Ｇと携帯電話器Ｋとを交信させて入出場したが、自動改札機Ｇが非接触式でないときは、携帯電話器Ｋを自動券売機ａに設けられているリーダライタと交信してその携帯電話器Ｋのメモリ２１に記憶されている乗車券情報に基づいた乗車券（普通乗車券、特急券を含む）の発行を受け、その発行を受けた乗車券を自動改札機Ｇに投入して入場することとなる。もちろん、出場の場合もその入場で用いられた乗車券を用いて出場することとなる。上述の乗車券の発行を受けたときは、携帯電話器Ｋのメモリ２１内の乗車券情報はクリアされる。
【００２０】
上述の例は、本発明に係る乗降シスムテを列車乗降システムに適用した例であるが、航空機の搭乗システムに適用するときは、携帯電話器Ｋのメモリ２１には、航空機の便名等の所定の搭乗券情報が記憶される。そして、その搭乗券情報の記憶されている携帯電話器Ｋを空港に設けられている図示しない自動チェックイン機のアンテナにタッチ又はかざすと、その自動チェックイン機では、携帯電話器Ｋに記憶されている搭乗券情報に基づいてチェックイン処理が行われる。このチェックイン処理において搭乗可能であればチェックインが終了となり携帯電話器Ｋのメモリ２１に記憶されている搭乗券情報はクリアされる。
【００２１】
【発明の効果】
本発明の請求項１に記載の乗降システムは、利用者の所持する携帯端末器と、乗車券や座席指定券等の所定の券類を管理する所定の中央に設けられた中央装置と、その中央装置と通信回線を介して接続された入出場処理を行う自動改札機と、前記携帯端末器と前記中央装置との交信によりその中央装置から得られた所定の乗車券情報をその携帯端末器のメモリに記憶させる記憶手段と、所定の乗車券情報の記憶されている前記携帯端末器と前記自動改札機との間で交信を行って所定の入出場処理を行う入出場処理手段とからなるので、利用者の所持する携帯端末器を用いて列車に乗車することができる。
【００２２】
本発明の請求項２に記載の乗降システムは、利用者の所持する携帯端末器と、乗車券や座席指定券等の所定の券類を管理する所定の中央に設けられた中央装置と、その中央装置と通信回線を介して接続された発券処理を行う自動券売機と、前記携帯端末器と前記中央装置との交信によりその中央装置から得られた所定の乗車券情報をその携帯端末器のメモリに記憶させる記憶手段と、所定の乗車券情報の記憶されている前記携帯端末器と前記自動券売機との間で交信を行って所定の発券処理を行う発券処理手段とからなるので、利用者の所持する携帯端末器を用いて乗車券を購入することができる。
【００２３】
本発明の請求項３に記載の乗降システムは、利用者の所持する携帯端末器と、搭乗券を管理する所定の中央に設けられた中央装置と、その中央装置と通信回線を介して接続されたチェックイン処理を行う自動チェックイン機と、前記携帯端末器と前記中央装置との交信によりその中央装置から得られた所定の搭乗券情報をその携帯端末器のメモリに記憶させる記憶手段と、所定の搭乗券情報の記憶されている前記携帯端末器と前記自動チェックイン機との間で交信を行って所定のチェックイン処理を行うチェックイン処理手段とからなるので、利用者の所持する携帯端末器を用いてチェックインをすることができる。
本発明の請求項４に記載の乗降システムは、携帯端末器を携帯電話器としたので、広く普及している携帯電話器を利用することができる。
【図面の簡単な説明】
【図１】本発明の乗降システムを列車の乗降システムに適用したときの概略構成図である。
【図２】駅務機器の制御器の概略構成を示すブロック図である。
【図３】制御動作を示すフローチャートである。
【符号の説明】
ａ　自動券売機
Ｇ　自動改札機
１　駅制
２　中央装置
Ｌ１　，Ｌ２　　通信回線
Ｌ３　　公衆回線網
Ｔ　基地局
Ｋ　携帯電話器（携帯端末器）
Ｈ　金融機関のホストコンピュータ
【図１】
2004038534.tif 000003
【図２】
2004038534.tif 000004
【図３】
2004038534.tif 000005